(57)【要約】本発明は、トランスデューサ素子の湾曲した配列を用いて動脈の画像を表示する、超音波観察システムであって、その長手軸に沿って探索され、心周期に関連して移動する壁を有する動脈のセグメントの超音波画像シーケンス及びドップラ・カラー・シーケンスを有し、ドップラ・カラー超音波スキャン・ラインに沿った動脈壁の速度及び動きの振幅を推定し、動脈グローバル軸に対して垂直な線に沿って動脈壁の動き振幅を推定する、処理手段を有し、ユーザが相互作用しうる専用ディスプレイ上に最後の動脈壁の振幅の曲線を表示する表示手段を更に有する、超音波観察システムに関連する。本発明は、更に、このシステムを用いて実行されるべきステップを有する画像処理方法に関連する。
2006510413.tif 000002
【特許請求の範囲】
【請求項１】
トランスデューサ素子の湾曲した配列を用いて動脈の画像を表示する超音波観察システムであって、
長手軸に沿って探索され、心周期に関連して動く壁を有する動脈のセグメントの超音波画像シーケンス及びドップラ・カラー・シーケンスを捕捉する手段と、
ドップラ・カラー超音波スキャン・ラインに沿って動脈壁の速度及び動きの振幅を推定し、
前記動脈グローバル軸に対して垂直な線に沿って前記動脈壁の動きの振幅を推定する、処理手段と、
前記ユーザが相互作用を行いうる専用ディスプレイ上の当該最後の動脈壁の曲線を表示する表示手段とを更に有する、超音波観察システム。
【請求項２】
前記動脈グローバル軸に対して垂直なラインに沿って動脈壁の動きの振幅を推定する処理手段は、
前記ドップラ角度について補償するよう補正されたドップラ・カラー・ラインに沿って測定される動き振幅の関数として前記動きの方向の動脈壁の動きの振幅を推定する手段を有する、請求項１記載の観察システム。
【請求項３】
ドップラ・カラー超音波スキャン・ラインに沿った動脈壁の動きの振幅を推定する前記処理手段は、前記動脈壁をセグメント化し、壁構造を与える手段と、
前記ドップラ・カラー・ラインと前記構造の間の交点を計算し、
時間参照を推定し、壁の動きの推定を与えるよう２つの時間参照間の時間遅延に与える各構造の速度を積分する手段とを有する、請求項２記載の観察システム。
【請求項４】
前記壁の動きの推定は、前記壁が動きを有さないときは前記時間遅延の時点において振幅をゼロにリセットするよう振幅のシフトによって補正される、請求項３記載の観察システム。
【請求項５】
各ドップラ・カラー・ラインについての動脈の２つの構造の動きの差として動脈拡張を評価する手段を有する、請求項１乃至４のうちいずれか一項記載の観察システム。
【請求項６】
幾つかの速度を平均化した結果として各ドップラ・カラー・ラインに関連付けられる速度を与える手段と、
前記時間参照を前記心周期の始まりとして推定するよう各構造に対する速度のグローバル平均をとる手段とを有する、請求項５記載の観察システム。
【請求項７】
前記シーケンスの各フレーム中の、
前記構造の位置、
前記カラー・ラインに沿って測定され、前記動脈軸に対して垂直に表示される各構造の動き、
前記動きの全体形状を表わすラインを有する情報を表示する手段を有する、
請求項１乃至７のうちいずれか一項記載の観察システム。
【請求項８】
前記インタフェース表示は、
選択されたユーザフレームに対応し、前記動脈壁に対するセグメンテーション結果及び前記壁に対する動きの拡張振幅と組み合わされるエコー画像の表示、
前記エコー画像の表示中に選択されたカラー・ラインの関数としての、所与の心周期に対する前記拡張の最大及び最小振幅の曲線の表示、
幾つかの心周期に亘る時間の関数としての拡張の振幅の表示、
前記ユーザによって選択される心周期に対する時間の関数としての拡張の振幅の表示、
のうちの表示を含む、請求項１乃至７のうちいずれか一項記載の観察システム。
【請求項９】
前記超音波画像に重ね合わされた、前記動脈壁についてのカラー構造及び前記壁拡張についてのカラーパターンを表示するカラー表示手段を有する、請求項８記載のシステム。
【請求項１０】
動脈のセグメントの縦軸に沿って探索され、心周期に関連して動く壁を有する動脈のセグメントの超音波画像シーケンス及びドップラ・カラー・シーケンスを捕捉する段階を有し、
ドップラ・カラー超音波スキャン・ラインに沿って前記動脈壁の速度及び動き振幅を推定する段階と、
前記動脈グローバル軸に対して垂直な線に沿って前記動脈壁の動きの振幅を推定する段階とを有し、
ユーザが相互作用を行ないうる専用ディスプレイ上にこの最後の動脈壁の振幅の曲線を表示する段階を更に有する、画像処理方法。
【請求項１１】
方法に従って超音波画像を処理するようにされた回路手段を有し、前記方法により処理された画像を表示する手段を有し、前記動脈壁に関連する定量化されたパラメータを表示するために前記シーケンスの夫々の画像に対してユーザが相互作用することを許すようマウス又はキーボードといったユーザインタフェースを有する、ワークステーション又は特定目的プロセッサの適切にプログラムされたコンピュータを有する、請求項１乃至９のうちいずれか一項記載のシステム。
【請求項１２】
請求項１０記載の方法を実行する一組の命令を有するコンピュータプログラム。
【発明の詳細な説明】
【技術分野】
【０００１】
本発明は、トランスデューサ素子の湾曲した配列を用いた動脈セグメントの医療画像のシーケンスを捕捉する、超音波撮像システム及び／又は超音波検査装置に関連する。本発明は更に、かかるシステムによって生成される画像を処理し、特に動脈セグメントの超音波画像シーケンスを心周期の関数として動脈パラメータの印とともに表示する画像処理方法に関連する。本発明は、動脈の異常、特に大動脈瘤といった大動脈の異常が疑われる患者を検査する心臓血管非侵襲医用器具を提供するのに用いられる。
【背景技術】
【０００２】
動脈セグメントに関連する拡張曲線を計算する超音波画像処理方法は、特許文献１（米国特許第５，５７９，７７１号明細書、Bonnefous、１９９６年１２月３日）から公知である。特許文献１は、動脈の軸に対して垂直に延びる多数の連続的な平行な励起線の画像線によって形成される、セクショナルフレームを生じさせる超音波トランスデューサの配列を用いて、超音波撮像により動脈セグメントを特徴付ける方法を示す。当該配列は、信号処理システムへ高周波数信号を与える送信／受信回路に結合される。当該システムは、動脈の壁の半径方向の測度と変位の振幅の値とを決定し、更に位置及び時間の関数としての動脈の拡張曲線を決定する。かかる曲線は、心周期中、励起時点ｔの関数として、動脈の縦Ｘ軸に沿った励起線に対応する所与の位置における動脈の半径方向Ｚ上に動脈拡張値を示す点によって構成される。従って、特許文献１の図４Ｃは、検査されている動脈セグメントに対応する超音波信号の全ての励起線に関する異なった拡張曲線を重ね合わせて示し、これらの線は動脈のＺ軸に沿って一定間隔の位置に置かれている。
【０００３】
問題は、特許文献１が、動脈の軸に対して垂直な超音波走査線による画像捕捉に基づく画像処理方法に関連するものであることである。これは、トランスデューサ素子の線形配列で超音波データを捕捉する超音波システムの使用に対応する。この種類のシステムは、浅い動脈及び頸動脈といった動脈の小さいセグメントを調べるのに適している。この種類のシステムは、動脈といった深く厚い動脈を調べること、特に腹部大動脈瘤（ＡＡＡ）を調べるのには適していない。大動脈及びＡＡＡを調べるために、望ましくは、トランスデューサ素子の湾曲した配列が用いられる。超音波データが湾曲した配列で捕捉されるとき、特許文献１に開示された動脈拡張を計算する方法は直接は使用できず、なぜならば走査線はもはや動脈の軸に対して垂直でないからである。
【０００４】
大動脈中で動脈瘤を早期診断するために、医療分野では、拡張情報と共に医師によって用いられる尺度である大動脈の膨張率の明確な定量化された指標と共に大動脈画像を与える非侵襲的な手段が必要とされている。
【特許文献１】米国特許第５，５７９，７７１号明細書
【発明の開示】
【発明が解決しようとする課題】
【０００５】
腹部大動脈瘤（ＡＡＡ）の疑いがある患者を追跡するための新しい診断情報を見つける問題を扱うために、本発明は、トランスデューサ素子の湾曲した配列を用いて動脈セグメントの医療画像のシーケンスを取得する超音波撮像システムを提案する。このシステムは、動脈壁の異常をはっきりと視覚的に定めて特定のパターンを有する動脈壁の画像のシーケンスを生成する処理手段及び表示手段を有する。本発明のシステムは、大動脈といった深い動脈の異常を非侵襲的に調べるツールを構成するよう特に設計される。
【課題を解決するための手段】
【０００６】
この超音波撮像システムは、請求項１に記載されている。
【０００７】
本発明はまた、かかる超音波撮像システムを有する超音波装置を提案することを目的とする。本発明は、深い動脈の画像シーケンスを表示する画像処理方法を提案することを更なる目的とする。特に、本発明は、大動脈の動脈瘤の壁の張力及び緊張に関連するパラメータの評価のための画像処理方法を提案することを目的とする。本発明は、大動脈の動脈壁の動きに関する情報を医師に与えるよう特に設計されたＡＡＡ用に開発された方法を提案する。この画像処理方法は、大動脈の壁の動きが、これらの腹部大動脈瘤を調べるのに医師にとって有用なパラメータと共にはっきりと目に見えるようにされるという利点を与える。
【発明を実施するための最良の形態】
【０００８】
本発明の特定の実施例について、添付の図面を参照して以下詳述する。図１Ａを参照するに、腹部大動脈瘤（ＡＡＡ）は、腎臓下の大動脈Ａの通常の直径を２倍したものによって定義される。心臓は、Ｈで示される。ＡＡＡ異常は、６５歳以上の男性の５％に見られる。ＡＡＡの最も一般的な合併症である動脈瘤の破裂は、当該年齢のグループの男性の約２％の死因であり、欧州の男性の死因の１０位である。殆どのＡＡＡは、破裂が生ずるまでは無症状であるため、全てのＡＡＡの回復のうち５０％までが緊急手術として行われる。破裂したＡＡＡの手術による死亡率は約５０％であり、病院に到着するまで生存するのはＡＡＡが破裂した患者のうちのわずかな割合のみであるため、破裂したＡＡＡについての全体地域死亡率は、９０％超であると推定される。このために、ＡＡＡのための集団検診計画に対する臨床上の及び費用的な有効性に対する関心が高まっている。捕捉された腹部大動脈瘤は、典型的には、拡張した拍動する腹部腫瘤を生じさせる大動脈の縁の非平衡性によって解剖学的に特徴付けられる。生理病理学は、破裂の危険性を含む血管についての議論を失うことからなる。実際に、大動脈は、血液組織の分布、パルス波の減衰等の幾つかの血液力学機能を満たす。これらの機能の最も基本的なことは、動脈ルーメン内に高い血圧の血液を含むことである。動脈壁の動脈瘤の病気は、拡張と称される完全性の部分的な欠如又は破裂に対応する完全性の全体的な損失を特徴とする。従って、大動脈の中の動脈瘤を早期に診断するために、医療分野では、大動脈の膨張率のはっきりとした定量化された標識と共に大動脈の画像を与える非侵襲的な手段が必要である。それに加えて、侵襲的手段の代わりに非侵襲的な手段を用いることが重要であり、なぜならば非侵襲的手段は大動脈の圧力を変化させ、従って実際の大動脈の膨張率を変化させるからである。
【０００９】
腹部大動脈瘤（ＡＡＡ）の深刻さは、一般的にはその最大径を考慮することにより臨床的に推定される。壁の応力が動脈壁の強さを超えると、動脈壁の破損が生ずることが知られている。選択的なＡＡＡ回復の手術の印は、一般的には動脈瘤の寸法が直径4.5cm乃至5cmよりも大きいことに基づくものであり、最も頻繁に用いられる医学的な方法は、注意深く待つことであり、動脈瘤の直径は、患者の手術を行うことが妥当な寸法まで拡大したことについて検出されるよう定期的に再測定される。現在では、5cm未満の直径を有するＡＡＡが破裂しうることも知られている。従って、明らかに、更なる診断情報が必要である。従って、望ましくは、膨張率情報が用いられることとなる。
【００１０】
本発明は、動脈瘤の壁の張力及び緊張の評価用の大動脈パラメータを提供する画像処理方法を提供する。システム及び方法は、ＡＡＡ用に開発され、大動脈の動脈壁の動作についての情報を医師に与えるよう特に設計されている。この方法は、動脈の拡張及び膨張率を推定するために、動脈壁の位置を自動的に又は限られたユーザ相互作用で、また画像シーケンス中の任意の時間において評価することを可能とする。
【００１１】
図２Ａのブロック図を参照するに、画像シーケンスの処理は、以下の主な段階を有する。
【００１２】
１）画像シーケンスの捕捉５１：
本発明の腹部大動脈瘤壁運動（ＡＡＡＷＭ）ツールは、線形湾曲配列を用いて、例えば大動脈のセグメントといった、動脈のセグメントの超音波画像のシーケンスを捕捉する手段を有する。この動脈セグメントは、長手軸を有し、図５又は図９中にグレースケール画像として表わされている。例として、腹部大動脈瘤（ＡＡＡ）の処理されたシーケンスは、Ｃ５−２プローブ及びPhilipsＨＤＩ５０００スキャナを用いて、組織ドップラ撮像（ＴＤＩ）モダリティで捕捉された。
【００１３】
図２Ｂは、以下説明する画像処理方法の段階を実行する本発明による医療観察システム１５０を示す図である。システムは、画像のシーケンスのディジタル画像データを捕捉する手段１５１を有し、この画像処理方法によりこれらのデータを処理するコンピュータ手段１５３に結合される。
【００１４】
データ処理装置１５３は、本発明により医療画像データを処理する方法を実施するようプログラムされる。特に、データ処理装置１５３は、方法の段階を実行する計算手段及びメモリ手段を有する。方法を実行するための予めプログラムされた命令を有するコンピュータプログラムプロダクトもまた実施されうる。
【００１５】
コンピュータ手段１５３は、シーケンス画像を処理するよう、インターベンション室又はインターベンション室の付近で使用されうる。本発明の方法の段階は、例えば医療パラメータを推定するために、記憶された医療画像に適用されうる。医療監視システムは、コネクション１５７によりシステム１５３へ画像データを提供する。システムは、処理された画像データを表示手段及び／又は記憶手段へ与える。表示手段１５４は、画面でありうる。記憶手段は、システム１５３のメモリでありうる。当該記憶手段は、或いは外部記憶手段であってもよい。この画像観察システム１５３は、本発明による方法の段階の機能を実行するようにされた、適切にプログラムされたコンピュータ、又は、ＬＵＴ、メモリ、フィルタ、論理演算部をいった回路手段を有する専用プロセッサを含みうる。システム１５３はまた、キーボード１５５及びマウス１５６を含みうる。ユーザが方法の選択された段階においてシステムの処理手段を作動させる制御手段１５８を構成するよう、画面上にマウスのクリックによってアクティブ化されるようアイコンが設けられても良く、又は、システムに特別な押しボタンが設けられてもよい。
【００１６】
画像のシーケンスのディジタル画像データを捕捉する手段１５１は、この医療観察システム１５０に結合された超音波検査装置でありうる。この医療検査装置１５１は、その上に患者が横たわる寝台、又は装置に対して患者の位置を決定する他の要素を含みうる。超音波検査装置１５１によって生成される画像データは、医療観察システム１５０へ供給される。
【００１７】
腹部大動脈瘤壁運動（ＡＡＡＷＭ）ツールを形成する上述の段階の技術的な実施について、以下より詳細に示す。動脈壁の境界及び「構造」の語は、同じ意味を有し、セグメント化された対象を表わす。この画像処理方法は、以下の更なる段階を有する。
【００１８】
２）ディスプレイ座標中の未加工カラー情報捕捉及び投影５２：
動脈のセグメントは、トランスデューサ素子の湾曲した配列を用いて更にカラースキャンされる。トランスデューサ配列は湾曲しているため、特許文献１に開示の方法は直接は使用されえない。例えば組織ドップラ撮像（ＴＤＩ）モダリティといった超音波カラーモードでは、湾曲した配列を用いたスキャンは、組織の動きに関連する超音波カラーデータの捕捉を可能とする。超音波未加工カラーデータは、動脈壁の動きを処理するための超音波情報を提供する。超音波未加工カラーデータは、動脈壁の動きを処理するための超音波情報を与える。超音波情報は、超音波カラースキャンのライン又はビームと、各超音波ラインに対する、深さ方向の超音波カラーラインに沿った動脈壁の測度の推定値とから構成される。スキャンのカラー幾何学と、カラー捕捉の未加工カラーデータ格納順序を図３に示す。図３を参照するに、ＡＡＡ用に開発された方法では、超音波未加工カラーデータの指数（角度指数angle  index、深さ指数depth  index）は、超音波カラー情報を動脈壁の位置と一致させるために表示座標（Ｘ，Ｙ）へ変換されねばならない。超音波カラー未加工領域中の指数（角度指数、深さ指数）を画素（Ｘ，Ｙ）中の表示領域へ変換するための変形の式（１ａ，１ｂ）を以下に表わす。図３中、Ｃはスキャン中心であり、Ｘ０，Ｙ０は表示領域の表示座標中のＣの位置であり、Ａ１は開始角度であり、Ａ２は停止角度であり、ＣＬは現在カラーラインであり、Ｒｅｆは参照角度＝０°である。これらの式において、
StopAngle及びStartAngleは、超音波カラー情報又は超音波カラービームのラジアンで計った停止角度及び開始角度を示す。
【００１９】
NumAnglesは、カラーデータ中のビーム角度の数である。
【００２０】
δαは、２つの夫々の角度における２つの連続するカラービーム間のラジアンで計った間隔である。
【００２１】
δdepthは、夫々の角度における所与のビームについての２つの連続するカラー測定値の間のピクセルで計った間隔である。
【００２２】
αは、カラー領域での角度指数に対応する現在ビームのラジアンで計った現在角度である。
【００２３】
depthは、カラー領域の深さ指数に対応する画素の深さである。
【００２４】
（Ｘ，Ｙ）は、画素で計った、表示領域中の（angle  index,  depth  index）の位置である。
【００２５】
δα＝（StopAngle−StartAngle）／NumAngles
δdepth＝（StopDepth−StartDepth）／NumDepths
α＝StartAngle＋angle_index＊δα
depth＝StartDepth＋depth_index＊δdepth
Ｘ＝Ｘ０−sin（α）＊depth                            （１ａ）
Ｙ＝Ｙ０＋cos（α）＊depth                            （１ｂ）
３）構造とカラー情報の間の交点の評価５３：
構造は、例えば引用された従来技術に記載された方法を用いて予め決定されるべき動脈壁の２つの内部境界である。構造は、グレースケール画像を用いて決定される。構造は、未加工カラーデータフレーム中で報告される。
【００２６】
以下、ディスプレイ中で使用されるカラー線は、その角度が上述のように超音波カラー線から計算されるディスプレイカラー線である。各深さにおける超音波カラー推定値は、以下のようにディスプレイについてのカラー線上で計算及び報告される。
【００２７】
カラー線と構造の交点に対応するインデックスは、超音波カラー領域中の未加工カラーデータフレーム中で決定される。各フレーム及び各構造について、構造の点は、最も近いカラー推定値への距離に関連付けられる。構造の各画素は、カラー領域中の最も近いライン角度に関連付けられる。すると、同じカラーライン角度に関連付けられる全ての画素に対して、深さは次のように推定される。即ち、カラー領域における最終的な深さは、考えられる画素の深さの重心である。重みＷは、カラー領域中の最も近いライン角度と画素とスキャン中心Ｃの間のライン角度の間の余りＲの逆数として定義される。小さい余りでは、重み関数は図４に示すように閾値処理され、これはカラーラインと構造の間の交点に対する最善の深さを評価するのに適用される重みＷを表わす。図４中、δαは、ラジアンで計った２つの連続するカラーライン角度の間のラジアンで計った距離であり、（δα／２）は最大の余りＲである。
【００２８】
カラーラインと構造の間の交点の推定値の結果を図５に示す。小さい細い線の端部は、カラーラインと、参照構造と称される動脈壁境界の間の交点を表わす。カラーラインと参照構造の間に交点がないとき、又は参照構造のうちの１つのみとの交点がないとき、対応するラインのカラー情報は動脈拡張を評価するのには使用できず、従って更なる処理には考慮に入れられない。
【００２９】
４）速度の平均化５４
各構造について、各カラーラインに関連付けられる速度は、幾つかの速度を平均化した結果である。平均化のために選択された指数の数は、ミリメートルで計った壁の幅に依存する。壁の厚さの通常の値は、例えば１ミリメートルである。動脈の境界に近すぎる位置で速度が推定されたとき、ノイズの多いデータの影響を制限するために、平均化は、壁の更に内側の位置に対応する速度に対して行われうる。ずれの変数は、壁の内側の部分に向かった変位の大きさを特定するよう定義されている。また、ずれが必要でなければ、これは０に設定されうる。各構造の速度の大局的な平均化は、シーケンス全体についての心周期の始まりを推定する手段を与える。
【００３０】
５）壁の動きの推定５５
各カラーラインに対して、各構造の速度は時間に亘って、例えば心周期に亘って、積分され、なぜならば心周期の始まりは予め決定されており、これは心周期の持続時間の決定を許すからである。これは、時間に亘り各カラーラインに沿った構造の動き情報を与える。積分定数は未知のままであるため、構造の動きは完全に周期的ではなく、心周期の終わりにおける動きの振幅は０とは異なるものでありえ、従ってシフトＳを示す。動脈壁の動きに関する理解可能な情報を与えるために、各心周期の終わりにおいて動きの振幅を０にリセットする選択がなされる。動きの連続性を維持するために、各心周期においてデータのアフィン補正が行われる。図６は、心周期の間の連続性についての動きの振幅の補正の原理を示す。補正の前の動きの振幅は曲線Ｃ１によって表わされる。補正の後の動きの振幅は、曲線Ｃ２によって表わされる。
【００３１】
６）ドップラ角度補正５６
壁の動きの振幅は、ドップラ角度について補償するよう補正される。図７は、Ｒｅｆと示される参照角度からの夫々の角度とともにカラーラインと投影ラインを示す。図７中、参照角度Ｒｅｆは、垂直な線によって表わされる。Ｃｌによって示されるカラーラインの角度は点線で示され、その値はαと称される。ＭＤによって示される推定された動きの方向の角度は実線で示され、その値はβと称される。角度は、三角法の向きとされ、符号が付される。従って、カラーラインＣＬと投影ラインの間の結果として得られるドップラ各は、αとβの差である。
【００３２】
補正された動きの振幅は、以下の式（２）を用いて計算され、これは、ドップラ角度を用いた動き振幅補正を与え、但し、ＷＭは、測定された動き振幅ＷＭTDIの補正された動き振幅を表わす。
【００３３】
【数１】
2006510413.tif 000003
７）拡張推定５７
拡張の推定は、各カラーラインＣＬについての２つの構造（動脈壁境界）の間の動きの差の結果である。拡張は、アプリケーションのインタフェース用の入力データを与えるために計算される。膨張率は、拡張と動脈の直径の間の比率である。
【００３４】
８）動き表現５８
画像中の動きを表わすために、動きの推定される方向に関する選択がなされねばならない。この用途では、動脈壁の動きが動脈の主軸に対して垂直であるという仮定がされる。これは、参照構造の外部の、グローバル動脈軸に対する法線上に表わされる各構造の動き推定を示す図８に示されている。
【００３５】
９）シーケンスのフレーム中の表示５９
図８を参照するに、シーケンスの各フレーム中に与えられる表示は、２種類の情報に限られる。１つの種類はｍ構造の位置である。近位端及び遠位端は、ユーザによってより容易に視覚化されるよう色で表示される。例えば、２つの構造は同じ色で表わされる。次に、各カラーラインに沿った各壁の動きは、ユーザによってより容易に区別されるよう第２の色で表わされる。動きがないことについての参照ラインは、参照構造と称される構造自体であり、動きの振幅は参照構造の位置から始めて表わされる。各動きの振幅についての、第２の色のラインの表現及び動脈壁に対する法線の方向は、選択される投影の方向の理解を可能とする。第２の色のラインは、第２の色のラインの間の動きの全体形状を表わす。図９は、シーケンスの各フレームに対する動脈壁の表示及び動きを示す。
【００３６】
１０）専用インタフェース上の表示６０
処理の後、結果は図９に示すような専用インタフェース上で概説される。図９は、異なったライン及び選択の意味に関する情報を与えるようボックス中に注釈される、大動脈の動きを要約するユーザインタフェースである。
【００３７】
インタフェースの左上部分は、エコー画像を示し、これは参照番号１０で示され、ユーザにより選択されたフレームに対応し、近位壁及び遠位壁に対するセグメンテーション結果、並びに、当該近位壁及び遠位壁の動きの拡張振幅と組み合わされる。選択された現在のカラーラインが示されており、
１１は、カラーの選択された限界であり、
１２は近位壁及び遠位壁のセグメント化を表わし、
１３は近位壁及び遠位壁の動きであり、
ＣＬは現在のカラーラインである。
【００３８】
表示の中段の左の部分は、参照番号２０で示され、所与の心周期に対する拡張の最大振幅及び最小振幅をカラーラインの関数として表示する。選択された現在のカラーラインは、エコー画像１０中の同じカラーラインの表示に関連する。
【００３９】
Maxは、現在の心周期におけるライン毎の最大拡張である。
【００４０】
Minは、現在の心周期におけるライン毎の最小拡張である。
【００４１】
表示の左下の部分では、参照番号３０で示される拡張の振幅が時間の関数として表示される。これは、異なったカラーライン感の拡張の振幅を比較することを可能とする。
【００４２】
３１は、シーケンス中の選択された時間ｔである。
【００４３】
３２は、現在の心周期である。
【００４４】
右上の部分は、ユーザにより選択された心周期のための参照番号４０によって表わされる拡張振幅を表わす。
【００４５】
４１は、現在心周期についての平均拡張である。
【００４６】
４２は、現在心周期についての選択されたカラーラインの拡張である。
【００４７】
ユーザは、表示１０又は２０又は４０中のカラーラインＣＬ、又は図１０の表示３０中の３１によって表わされる時間ｔを選択するために、超音波システムのマウスのクリックで対話しうる。
【図面の簡単な説明】
【００４８】
【図１】大動脈及び腹部大動脈瘤（ＡＡＡ）を概略的に示す図である。
【図２Ａ】本発明の方法の主な段階を示すブロック図である。
【図２Ｂ】本発明の方法を実行する処理及び表示手段を有する観察システムを有する検査装置のブロック図である。
【図３】スキャンと未加工カラーデータ記憶順序の幾何を示す図である。
【図４】カラー線と構造の間の交点についての最善の深さを評価するのに適用される重みを示す図である。
【図５】カラー線と構造を有する超音波画像、並びに、カラー線と構造の間の交点を示す図である。
【図６】心周期間の連続性についての動き振幅補正の原理を示す図である。
【図７】参照からの夫々の角度のカラー線及び投影線を示す図である。
【図８】シーケンスの各フレームについての動脈壁及び動きの表示を示す図である。
【図９】異なった線及び交点の意味に関する情報を与えるよう注釈を伴う、大動脈の動きを概略するユーザインタフェースを示す図である。
【図１】
2006510413.tif 000004
【図２Ａ】
2006510413.tif 000005
2006510413.tif 000006
【図３】
2006510413.tif 000007
【図４】
2006510413.tif 000008
【図５】
2006510413.tif 000009
【図６】
2006510413.tif 000010
【図７】
2006510413.tif 000011
【図８】
2006510413.tif 000012
【図９】
2006510413.tif 000013
【国際調査報告】
2006510413.tif 000014
2006510413.tif 000015
2006510413.tif 000016